(57)【要約】【課題】  広角レンズ由来の歪を活用して撮影する場合に、被写体の一部分がユーザの所望する形態になることを容易に実現できるようにする。【解決手段】  デジタルカメラにおいて、広角画像内において広角レンズの歪特性による影響が、広角画像のその他の領域における広角レンズの歪み特性による所定の影響よりも強く表れる第１の領域内に被写体の第１の部分を配置すべきことを推奨する第１の撮影ガイド情報を報知する。例えば、第１の領域ａ１内に被写体（人物）の第１の部位（脚部）を配置すべきことを推奨する第１の撮影ガイド情報ｇ１をライブビュー画面（モニタ画面）に重畳表示する。【選択図】  図５
2018137717.tif 000002
【特許請求の範囲】
【請求項１】
広角レンズを介して撮像素子により撮像された広角画像を取得する画像取得手段と、
前記画像取得手段によって取得される広角画像の一部の領域であって前記広角レンズの歪特性による影響が、前記広角画像のその他の領域における前記広角レンズの歪み特性による所定の影響よりも強く表れる第１の領域内に被写体の第１の部分を配置すべきことを推奨する第１の撮影ガイド情報を報知するガイド報知手段と、
を備えることを特徴とする撮影処理装置。
【請求項２】
前記広角画像の第１の領域は、その広角画像の端部に位置する領域であり、かつ、この領域内に配置される前記被写体の第１の部分が前記広角レンズの端部の歪に応じて伸張されるという効果を活用するために予め決められた歪活用領域であり、
前記ガイド報知手段は、前記被写体の第１の部分を前記歪活用領域内に配置すべきことを推奨する第１の撮影ガイド情報を報知する、
ことを特徴とする請求項１に記載の撮影処理装置。
【請求項３】
前記第１の部分は、被写体である人物の脚部分であり、
前記第１の領域は、前記被写体である人物が立ち姿勢であるか座り姿勢であるかに応じてその位置及び大きさが異なる領域である、
ことを特徴とする請求項１又は２に記載の撮影処理装置。
【請求項４】
前記ガイド報知手段は、被写体が有する動きセンサが検知した検知データを取得し、前記検知データに基づいて前記被写体である人物が立ち姿勢であるか座り姿勢であるかを判断し、その判断結果に応じて前記第１の領域の位置及び大きさを決定する、
ことを特徴とする請求項３に記載の撮影処理装置。
【請求項５】
前記ガイド報知手段は、前記広角レンズの歪特性による影響が前記所定の影響よりも強く表れる前記第１の領域内に前記被写体の第１の部分を配置すべきことを推奨する前記第１の撮影ガイド情報を報知し、かつ、前記広角レンズの歪特性による影響が前記第１の領域内の歪みの影響よりも弱い第２の領域内に被写体の第２の部分を配置すべきことを推奨する第２の撮影ガイド情報を報知する、
ことを特徴とする請求項１乃至４の何れか１項に記載の撮影処理装置。
【請求項６】
前記第１の領域は、この広角画像の端部に位置する領域であるのに対して前記第２の領域は、この広角画像の中央部に位置する領域である、
ことを特徴とする請求項５に記載の撮影処理装置。
【請求項７】
前記第１及び第２の領域は、それらの位置の違いによって大きさが異なる領域である、
ことを特徴とする請求項６に記載の撮影処理装置。
【請求項８】
前記第２の部位は、被写体である人物の顔部分であり、
前記第２の領域は、前記被写体である人物が立ち姿勢であるか座り姿勢であるかに応じてその位置及び大きさが異なる領域である、
ことを特徴とする請求項５乃至７の何れか１項に記載の撮影処理装置。
【請求項９】
前記ガイド報知手段は、被写体が有する動きセンサが検知した検知データを取得し、前記検知データに基づいて前記被写体である人物が立ち姿勢であるか座り姿勢であるかを判断し、その判断結果に応じて前記第２の領域の位置及び大きさを決定する、
ことを特徴とする請求項８に記載の撮影処理装置。
【請求項１０】
前記広角画像をライブビュー画像としてモニタ画面に表示する表示手段を更に備え、
前記ガイド報知手段は、前記表示手段に表示されるライブビュー画像に前記第１の撮影ガイド情報を重畳表示する、
ことを特徴とする請求項１乃至９の何れか１項に記載の撮影処理装置。
【請求項１１】
前記ガイド報知手段は、ライブビュー画像に第１の撮影ガイド情報を重畳表示する場合にライブビュー画像と識別可能となるように前記第１の領域を表示する、
ことを特徴とする請求項１０に記載の撮影処理装置。
【請求項１２】
前記ガイド報知手段は、前記広角レンズの歪特性による影響が前記所定の影響よりも強く表れる前記第１の領域内に前記被写体の第１の部分を配置すべきことを推奨する、前記第１の撮影ガイド情報と、前記広角レンズの歪特性による影響が前記第１の領域内の歪みの影響よりも弱い第２の領域内に被写体の第２の部分を配置すべきことを推奨する第２の撮影ガイド情報とを、前記ライブビュー画像に識別可能に重畳表示する、
ことを特徴とする請求項１０に記載の撮影処理装置。
【請求項１３】
前記ガイド報知手段は、被写体の基準位置を合わせる前記モニタ画面内の位置を案内する情報として第３の撮影ガイド情報を前記ライブビュー画像に重畳表示する、
ことを特徴とする請求項１０乃至１２の何れか１項に記載の撮影処理装置。
【請求項１４】
前記ガイド報知手段は、被写体の主要部分が配置される位置を規制する情報として第４の撮影ガイド情報を前記ライブビュー画像に重畳表示する、
ことを特徴とする請求項１０乃至１３の何れか１項に記載の撮影処理装置。
【請求項１５】
前記広角レンズ及び前記撮像素子を備える、
ことを特徴とする請求項１乃至１４の何れか１項に記載の撮影処理装置。
【請求項１６】
撮影処理装置における撮影処理方法であって、
前記広角レンズを介して前記撮像素子に撮像された広角画像を取得する処理と、
前記取得される広角画像の一部の領域であって前記広角レンズの歪特性による影響が、前記広角画像のその他の領域における前記広角レンズの歪み特性による所定の影響よりも強く表れる第１の領域内に被写体の第１の部分を配置すべきことを推奨する第１の撮影ガイド情報を報知する処理と、
を含むことを特徴とする撮影処理方法。
【請求項１７】
撮影処理装置のコンピュータに対して、
前記広角レンズを介して前記撮像素子に撮像された広角画像を取得する機能と、
前記取得される広角画像の一部の領域であって前記広角レンズの歪特性による影響が、前記広角画像のその他の領域における前記広角レンズの歪み特性による所定の影響よりも強く表れる第１の領域内に被写体の第１の部分を配置すべきことを推奨する第１の撮影ガイド情報を報知する機能と、
を実現させるためのプログラム。
【発明の詳細な説明】
【技術分野】
【０００１】
本発明は、広角画像を撮影する撮影処理装置、撮影処理方法及びプログラムに関する。
【背景技術】
【０００２】
一般に、デジタルカメラにおいては、広角レンズを用いて撮像すると、その撮像画像の中央部と周辺部との間で歪の度合いの違いによる歪曲収差が生じるため、その歪曲収差を補正するようにしているが、光学系ではその収差を補正せずに、歪補正処理を施すようにしている。この歪曲収差による画像の歪を補正する処理として従来、例えば、被写体（人物）の一部分（顔）が画像の中心から外れた位置にあれば、歪曲補正の度合いを強めるようにして、被写体の一部をユーザの所望とする形態とする技術が知られている（特許文献１を参照）。
【先行技術文献】
【特許文献】
【０００３】
【特許文献１】特開２０１５−０６１２９２号公報
【発明の概要】
【発明が解決しようとする課題】
【０００４】
ところで、上述のように被写体の一部分をユーザの所望する形態とする場合、画像内のどこに被写体が位置しているかによっては所望する形態を得ることができないという問題がある。
【０００５】
本発明の課題は、広角レンズ由来の歪を活用して撮影する場合に、被写体の一部分がユーザの所望する形態になることを容易に実現できるようにすることである。
【課題を解決するための手段】
【０００６】
上述した課題を解決するために本発明は、
広角レンズを介して撮像素子により撮像された広角画像を取得する画像取得手段と、
前記画像取得手段によって取得される広角画像の一部の領域であって前記広角レンズの歪特性による影響が、前記広角画像のその他の領域における前記広角レンズの歪み特性による所定の影響よりも強く表れる第１の領域内に被写体の第１の部分を配置すべきことを推奨する第１の撮影ガイド情報を報知するガイド報知手段と、
を備えることを特徴とする撮影処理装置である。
【発明の効果】
【０００７】
本発明によれば、広角レンズ由来の歪を活用して撮影する場合に、被写体の一部分がユーザの所望する形態になることを容易に実現できる。
【図面の簡単な説明】
【０００８】
【図１】（１）は、撮影処理装置として適用したデジタルカメラを構成する撮像装置１０と本体装置２０とを一体的に組み合わせた状態を表した外観図、（２）は、撮像装置１０と本体装置２０とを分離した状態を表した外観図。
【図２】（１）は、撮像装置１０の構成を示したブロック図、（２）は、本体装置２０の構成を示したブロック図。
【図３】（１）〜（３）は、広角レンズ１６Ｂを用いて撮像された画像（広角画像）がライブビュー画像として表示されるモニタ画面（ライブビュー画面）を例示した図。
【図４】被写体が立ち姿勢の場合の脚長モードにおいて、ライブビュー画面内に重畳表示される撮影ガイド情報を例示した図。
【図５】（１）、（２）は、立ち姿勢の被写体を脚長に撮るために各種の撮影ガイド情報をどのように利用すれば良いかを説明するための図。
【図６】（１）、（２）は、被写体の複数の部位を、対応する撮影ガイド情報に合わせなかった場合の被写体像を例示した図。
【図７】（１）、（２）は、被写体の複数の部位を、対応する撮影ガイド情報に合わせなかった場合の被写体像の他の例を示した図。
【図８】座り姿勢の被写体を横構図で撮影する場合にライブビュー画面（横長画面）に表示される各種の撮影ガイド情報を例示した図。
【図９】撮影モードに切り替えられた際に実行開始される動作を示したフローチャート。
【図１０】（１）は、本実施形態の変形例＜１＞を説明するための図、（２）は、変形例＜２＞を説明するための図。
【図１１】（１）は、本実施形態の変形例＜３＞を説明するための図、（２）は、変形例＜４＞を説明するための図。
【図１２】本実施形態の変形例＜５＞を説明するための図。
【図１３】本実施形態の変形例＜６＞を説明するための図。
【発明を実施するための形態】
【０００９】
以下、図１〜図９を参照して本発明の実施形態を説明する。
本実施形態は、撮影処理装置としてデジタルカメラに適用した場合を例示したもので、このデジタルカメラは、後述する撮像部を備える撮像装置１０と、後述する表示部を備える本体装置２０とに分離可能なセパレート型デジタルカメラである。図１（１）は、撮像装置１０と本体装置２０とを一体的に組み合わせた状態を示し、図１（２）は、撮像装置１０と本体装置２０とを分離した状態を示している。このセパレート型デジタルカメラを構成する撮像装置１０と本体装置２０とは、それぞれが利用可能な無線通信を用いてペアリング（無線接続認識）が可能なもので、無線通信としては、無線ＬＡＮ（Ｗｉ−Ｆｉ）又はＢｌｕｅｔｏｏｔｈ（登録商標）を使用している。本体装置２０は、撮像装置１０側で撮像された画像を受信取得して、この撮像画像（ライブビュー画像）をモニタ画面（ライブビュー画面）に表示するようにしている。
【００１０】
図２（１）は、撮像装置１０の構成を示したブロック図であり、図２（２）は、本体装置２０の構成を示したブロック図である。
図２（１）において、撮像装置１０は、制御部１１、電源部１２、記憶部１３、通信部１４、操作部１５、撮像部１６などを備えている。制御部１１は、電源部（二次電池）１２からの電力供給によって動作し、記憶部１３内の各種のプログラムに応じてこの撮像装置１０の全体動作を制御するもので、この制御部１１には図示しないＣＰＵ（中央演算処理装置）やメモリなどが設けられている。記憶部１３は、例えば、ＲＯＭ、フラッシュメモリなどを有する構成で、本実施形態を実現するためのプログラムや各種のアプリケーションなどが格納されている。通信部１４は、撮影画像を本体装置２０側に送信したり、本体装置２０からの操作指示信号などを受信したりする通信インターフェイスである。操作部１５は、電源スイッチなどの基本的な操作キー（ハードウェアキー）を備えている。
【００１１】
撮像部１６は、被写体を高精細に撮影可能なカメラ部を構成するもので、この撮像部１６のレンズユニット１６Ａには、広角レンズ１６Ｂ、撮像素子１６Ｃなどが設けられている。なお、本実施形態のカメラは、例えば、通常の標準レンズ（図示省略）と広角レンズ１６Ｂとが交換可能なもので、図示の例は、広角レンズ１６Ｂを装着した状態を示している。この広角レンズ１６Ｂは、例えば、標準レンズよりも画角が広い（焦点距離が短い）レンズで、この広角レンズ１６Ｂによって撮影された広角画像の全体は、そのレンズ中心（光軸）からレンズ端（周辺部）に向かう程、大きく歪んだものとなる。なお、本実施形態においては、広角レンズ１６Ｂとして焦点距離が、例えば、１６ｍｍ（３５ｍｍ版換算）の超広角レンズを使用したが、それに限らず、魚眼レンズであってもよい。
【００１２】
この広角レンズ１６Ｂによる被写体像（光学像）が撮像素子（例えば、ＣＭＯＳ又はＣＣＤ）１６Ｃに結像されると、この撮像素子１６Ｃによって光電変換された画像信号（アナログ値の信号）は、図示省略のＡ／Ｄ変換部によってデジタル信号に変換された後に、本体装置２０側に送信される。本体装置２０側では、撮像された画像を取得し、広角レンズ１６Ｂによる歪を補正する処理などを施してライブビュー画像としてモニタ表示させる。なお、この歪補正処理は、カメラにおいて一般的に用いられている技術であり、本実施形態ではその周知技術を利用するようにしているため、その具体的な説明については省略するものとするが、このような補正処理を施したとしても撮像画像の一部分の領域（レンズ端（周辺部）に相当する領域）には広角レンズ１６Ｂによる歪特性の影響が大きく残存してしまう。
【００１３】
図２（２）において、本体装置２０は、魚眼レンズなどを使用して撮影された画像を再生する再生機能を有し、制御部２１、電源部２２、記憶部２３、通信部２４、操作部２５、タッチ表示部２６、姿勢検出部２７などを備えている。制御部２１は、電源部（二次電池）２２からの電力供給によって動作し、記憶部２３内の各種のプログラムに応じてこの本体装置２０の全体動作を制御するもので、この制御部２１には図示しないＣＰＵ（中央演算処理装置）やメモリなどが設けられている。記憶部２３は、例えば、ＲＯＭ、フラッシュメモリなどを有する構成で、本実施形態を実現するためのプログラムや各種のアプリケーションなどが格納されているプログラムメモリ２３Ａ、この本体装置２０が動作するために必要となる各種の情報（例えば、フラグなど）を一時的に記憶するワークメモリ２３Ｂなどを有している。
【００１４】
通信部２４は、撮像装置１０との間で各種のデータの送受信を行う通信インターフェイスである。操作部２５は、電源ボタン、レリーズボタン、露出やシャッタスピードなどの撮影条件を設定する設定ボタンなど、押しボタン式の各種のキーを備えたもので、制御部２１は、この操作部２５からの入力操作信号に応じた処理を実行したり、入力操作信号を撮像装置１０に対して送信したりする。タッチ表示部２６は、高精細液晶などのディスプレイ２６Ａ上にタッチパネル２６Ｂを積層配置した構成で、縦横比の異なる表示画面（長方形の画面）は、撮像されたライブビュー画像（広角画像）をリアルタイムに表示するモニタ画面（ライブビュー画面）となったり、撮影済み画像を再生する再生画面となったり、各種の動作モード（後述する脚長モードなど）を選択する選択画面となったりする。
【００１５】
ここで、本実施形態においては撮影モードの中の一つとして、広角レンズ１６Ｂを用いて撮影する「脚長モード」を有している。この「脚長モード」は、被写体（対象被写体：主要な被写体）の一部分をレンズ由来の歪を活用してユーザの所望の形態となるように撮像する動作モード、つまり、広角レンズ１６Ｂによる歪特性を活用することによって被写体である人物の脚部分が長くなる脚長の被写体像を得る動作モードである。姿勢検出部２７は、本体装置２０に加わる加速度を検出する３軸加速度センサであり、本体装置２０の姿勢を検出して制御部１１に与える。ここで、本体装置２０の姿勢とは、縦構図（縦長画面）か横構図（横長画面）かを示している。
【００１６】
図３は、広角レンズ１６Ｂを用いて上述の「脚長モード」で被写体（人物）を撮像した場合において、その被写体（人物）像の一部分（脚部分）の形態が広角レンズ１６Ｂによる歪特性によってどのように変化するかを説明するための図である。
一般に、広角レンズ１６Ｂを用いて被写体を撮像すると、その撮像された像には広角レンズ１６Ｂの歪曲収差（ディストーション）と広角歪（ボリューム歪）が強く現れるようになる。なお、歪曲収差は、真っ直ぐなものが曲がって見えるようになる歪（広角では樽型歪曲）であり、画面端（レンズの周端部）で歪がより大きくなり、画面の中心点（光軸
）に近づくにつれて歪が小さくなる特徴を有している。また、広角歪（ボリューム歪）は、立体を平面に投影することに起因する歪であり、被写体に近接したり、カメラアングルを変えたりすると、パースペクティブ（遠近感）が現れるが、この遠近感は広角になればなる程に強まり、また、画面端でより大きくなり、画面中心点に近づくにつれて小さくなる特徴を有している。
【００１７】
図３は、広角レンズ１６Ｂを用いて撮像された画像（広角画像）がライブビュー画像として表示されるモニタ画面（ライブビュー画面）を示した図である。図３（１）は、被写体として立ち姿の撮影者が、自分撮りする場合を例示したもので、被写体（撮影者）が自分撮りする場合には、片手に本体装置２０を持ち、そのライブビュー画面を見ながらカメラとの距離や角度を変えたりして被写体を配置する位置を決定する。図３（２）は、自分撮りする場合ではなく、被写体と撮影者とが異なる場合を例示したもので、撮影者は、ライブビュー画面を見ながらカメラの高さや角度を変えたりして被写体を配置する位置を決定する。ここで、図示のように被写体像の全体が画面の中央部分に収まっている場合には、広角レンズ１６Ｂによる歪が視認できないほど小さくて歪による影響が表れない被写体像となる。
【００１８】
図３（３）は、図３（２）に示した立ち姿勢の被写体において、撮影者がその被写体の方向に近づいたり、ズームアップしたりして、被写体の片脚の一部分（足首及び足の甲を含む部分）が画面の端部（図中、下端部）内に収まるように配置した場合の構図を例示したもので、図示のように片脚を画面の端部内に配置させると、その被写体像は、広角レンズ１６Ｂによる歪の影響がその片脚に大きく表れることにより、その片脚がその延長方向に伸長し、図３（２）の被写体像に比べて脚長の形態に変形されることになる。
【００１９】
このように被写体の構図を変更するだけで、広角レンズ１６Ｂの歪特性を活用した脚長の被写体像を得ることが可能であるが、撮影者にあっては、どのような構図にすれば所望の脚長となるかが分からない。そのため、脚を適当な位置に配置することになる結果、例えば、脚が伸びすぎたり、伸びが足りなすぎたりし、全体のバランスも悪い被写体像となる。そこで、本実施形態では、上述した「脚長モード」において、被写体の一部分（脚部）がユーザの所望する形態（脚長）となるように広角レンズ由来の歪を適切に活用できるようにするため、各種の撮影ガイド情報を報知するようにしている。すなわち、本実施形態においては、脚長の被写体像を容易に得ることが可能となるために、４種類の撮影ガイド情報をライブビュー画像内に重畳表示するようにしている。
【００２０】
図４は、被写体が立ち姿勢の場合に脚長モードにおいて、撮像されたライブビュー画像（広角画像）が表示されるモニタ画面内に重畳表示される撮影ガイド情報を例示した図である。この例では、ライブビュー画面を縦長の画面としたもので、この縦長画面内には４種類の撮影ガイド情報ｇ１〜ｇ４が表示される。すなわち、この縦長画面において、その第１の領域ａ１には被写体（人物）の第１の部位（脚部）を配置すべきことを推奨するための案内情報として、第１の撮影ガイド情報ｇ１が表示され、また、第２の領域ａ２にはその被写体（人物）の第２の部位（頭部）を配置すべきことを推奨するための案内情報として第２の撮影ガイド情報ｇ２が表示される。更に、ライブビュー画面には、被写体全体のバランスが良くなるような構図を推奨するために、その被写体の基準位置（例えば、腰位置）を合わせる画面内の位置を示す第３の撮影ガイド情報ｇ３が表示される。更に、広角レンズ１６Ｂによる歪の影響を少なくするような構図を推奨するために、被写体の主要部分（例えば、胴体、頭部）の位置を規制する第４の撮影ガイド情報ｇ４が表示される。
【００２１】
第１の領域ａ１は、ライブビュー画面（例えば、縦長画面）において広角レンズ１６Ｂの歪特性による影響が、広角画像のその他の領域における広角レンズ１６Ｂの歪み特性による所定の影響よりも強く表れる周辺領域のうち、その一部分の領域である。図示の例では、図中、斜線を付して示したようにその画面の下端部の全体に広がっている帯状の領域（左右両端まで広がっている長方形の領域）が第１の領域ａ１として予め決められたもので、この第１の領域ａ１は、レンズ端による歪の影響を強く受ける領域となる。この第１の領域ａ１内に被写体の第１の部位（例えば、脚部）が配置されると、歪の影響を受けてその第１の部位が伸張されるので、脚長効果を得ることができる。
【００２２】
このように第１の領域ａ１は、レンズ端による歪効果を活用するための領域（歪活用領域）となる。第１の撮影ガイド情報ｇ１は、この第１の領域ａ１の全体を薄い色で着色する半透明の着色情報で、この第１の領域ａ１を可視化することによって、この第１の領域ａ１内に被写体の第１の部位（脚部）が入るように配置すべきことを撮影者に案内するための情報である。
【００２３】
第２の領域ａ２は、ライブビュー画面（例えば、縦長画面）において、広角レンズ１６Ｂの歪特性による影響が、第１の領域ａ１に比べて弱く表れる領域のうち、その一部分の領域である。図示の例では、図中、斜線を付したようにその画面の中央領域の一部分、図中、中央上部に広がる帯状の領域（長方形の領域）が第２の領域ａ２として予め決められたもので、この第２の領域ａ２は、レンズ端による歪の影響を受けないか、受けても弱い領域となる。第２の撮影ガイド情報ｇ２は、この第２の領域ａ２の全体を薄い色で着色する半透明の着色情報で、この第２の領域ａ２を可視化することによって、この第２の領域ａ２内に被写体の第２の部位（頭部）が入るように配置すべきことを撮影者に案内するための情報である。なお、第１の撮影ガイド情報ｇ１及び第２の撮影ガイド情報ｇ２を異なる色（例えば、赤系と青系）とすることによって両者を識別可能としている。
【００２４】
第３の撮影ガイド情報ｇ３は、被写体の基準位置（腰位置）を合わせる画面内の位置を案内するために表示された１本のライン情報（図示の例では横線の着色情報）であり、地面に対して垂直、かつ被写体の腰の高さにカメラを位置させるための指標となる。なお、本実施形態においては、第３の撮影ガイド情報ｇ３を腰の位置に厳密に合わせる必要はなく、例えば、ベルトの位置から臍辺りまでの範囲内に合わせてあれば、腰位置であると許容するようにしている。
【００２５】
第４の撮影ガイド情報ｇ４は、被写体の主要部分（胴体、頭部）の位置を規制する２本のライン情報（図示の例では縦線の着色情報）で、ライブビュー画面において広角レンズ１６Ｂの歪特性による影響が強く表れる領域、（例えば、広角レンズ１６Ｂの歪特性による影響が第１の領域ａ１を除く他の領域よりも強く表れる領域）であるか否かを分ける境界線となり、図示の例では、画面の左右端部から少し離れた位置に表示されている。すなわち、第４の撮影ガイド情報ｇ４は、被写体の主要部分（胴体、頭部）がその外側に入ると、広角レンズ１６Ｂによる歪の影響が大きく表れるために、その外側には入らないように配置すべきことを案内するための情報であり、図中、左右に１本ずつ第４の撮影ガイド情報ｇ４を表示させた場合を示している。なお、本実施形態においては、第４の撮影ガイド情報ｇ４を縦線としたが、第１の撮影ガイド情報ｇ１及び第２の撮影ガイド情報ｇ２と同様に、帯状の領域としてもよい。
【００２６】
図５は、立ち姿勢の被写体を脚長に撮るために各種の撮影ガイド情報ｇ１〜ｇ４をどのように利用すれば良いかを説明するための図で、図５（１）は、被写体の複数の部位を、対応する撮影ガイド情報の表示位置に合わせた状態の被写体像を示している。すなわち、被写体の第１の部位（脚部）を第１の撮影ガイド情報ｇ１で可視化された第１の領域ａ１内に収めると共に、第２の部位（頭部）を第２の撮影ガイド情報ｇ２で可視化された第２の領域ａ２内に収め、かつ、被写体の基準位置（腰位置）を第３の撮影ガイド情報ｇ３のラインに合わせると共に、被写体の主要部分（胴体、頭部）が第４の撮影ガイド情報ｇ４の外側からはみ出さないようにした状態での被写体像を示している。
【００２７】
これによって例えば、立ち姿勢において、カメラの高さを被写体の腰位置に合わせ、更に、被写体の脚部を第１の領域ａ１、頭部を第２の領域ａ２に合わせると、被写体像はその全体バランスを崩さずに小顔効果及び脚長効果を発揮する。小顔効果は、ボリューム歪による遠近感、また、脚長効果は、樽型歪曲と遠近感によるもので、被写体の複数の部位（頭部、脚部、腰部）を、対応する撮影ガイド情報ｇ１、ｇ２、ｇ３に合わせると、被写体に対してカメラ角度上向きすぎ（下方から煽りすぎ）たり、カメラ角度下向きすぎたりすることがなくなるため、どこかの部位が極端に伸びすぎてしまうことを防ぐことができ、バランスが良く小顔効果及び脚長効果を持った被写体像を得ることが可能となる。なお、被写体の脚部を第１の領域ａ１、頭部を第２の領域ａ２に合わせる際に、例えば、その領域の６０〜７０％以上に被写体の一部分（脚部や頭部）が入ればよく、その脚部や頭部を、領域一杯に入れる必要はない。
【００２８】
図５（２）は、第１の領域ａ１の方が第２の領域ａ２よりも長くした理由を説明するための図である。第１の領域ａ１は、画面の下端部においてその左右両端まで広がる帯状の長方形領域であるのに対し、第２の領域ａ２は、画面の中央上部においてその左右両端まで達しない帯状の長方形領域であり、その長手方向が、第１の領域ａ１の方が第２の領域ａ２よりも長くしたのは、第１の領域ａ１は、顔が配置される第２の領域ａ２とは異なり、脚部が配置される領域で、脚は伸びた方が良く、更に、図示のように片脚を外側に出す姿勢に対応したり、複数人での撮像に対応したりするためである。
【００２９】
図６（１）は、被写体の頭部を第２の領域ａ２、腰の位置を第３の撮影ガイド情報ｇ３に合わせたとしても脚部が第１の領域ａ１に入っていない状態での被写体像を示し、この場合、ボリューム歪による遠近感の影響を受けて図示のように脚部が短くなった被写体像となる。図６（２）は、被写体の脚部を第１の領域ａ１、腰の位置を第３の撮影ガイド情報ｇ３に合わせたとしても頭部の大部分が第２の領域ａ２から外れている状態での被写体像を示し、この場合、樽型歪曲と遠近感による影響を受けて頭部全体が上方向（頭頂方向）に伸びた被写体像となる。
【００３０】
図７（１）は、被写体の脚部を第１の領域ａ１、頭部を第２の領域ａ２に合わせたとしても腰の位置が第３の撮影ガイド情報ｇ３に合っていない状態での被写体像を示し、この場合、被写体の腰よりもカメラが低すぎて被写体を下から煽りすぎた結果（カメラ角度を上向きすぎた結果）、脚部が長く伸びすぎた被写体像となる。図７（２）は、被写体の脚部を第１の領域ａ１、頭部を第２の領域ａ２、腰の位置が第３の撮影ガイド情報ｇ３に合わせたとしても被写体の主要部分（胴体、頭部）が第４の撮影ガイド情報ｇ４の外側に外れている状態での被写体像を示し、この場合、外れた部分の胴体及び頭部は、樽型歪曲と遠近感による影響を受けてその部分が膨張して拡大した被写体像となる。
【００３１】
図８は、座り姿勢の被写体を横構図で撮影する場合にライブビュー画面（横長画面）に表示される各種の撮影ガイド情報を例示したもので、座り姿勢の場合には、この横長画面内に３種類の撮影ガイド情報ｇ１、ｇ２、ｇ４が表示される。本実施形態では脚長モードにおいて、被写体が立ち姿勢であるか座り姿勢であるかを予めユーザ操作によって任意に選択可能としているが、その選択は、ユーザ操作に限らず、例えば、被写体像の形態を解析し、その解析結果（被写体像の形態）に基づいて被写体が立ち姿勢であるか座り姿勢であるかを判別するようにしてもよい。
【００３２】
被写体が座り姿勢の場合においても立ち姿勢の場合と同様に、ライブビュー画面（横長画面）には各種の撮影ガイド情報が表示される。すなわち、その画面の下端部全体に広がる帯状の長方形領域は、第１の領域ａ１となり、その全体には被写体の第１の部位（脚部）を配置すべきことを案内する第１の撮影ガイド情報ｇ１が表示される。また、画面の中央上部に広がる帯状の長方形領域は、第２の領域ａ２となり、その全体には被写体の第２の部位（頭部）を配置すべきことを案内する第２の撮影ガイド情報ｇ２が表示される。更に、被写体の主要部分（胴体、頭部）の位置を規制する第４の撮影ガイド情報ｇ４が表示される。
【００３３】
このように座り姿勢の場合に、３種類の撮影ガイド情報ｇ１、ｇ２、ｇ４が表示されるが、上述した第３の撮影ガイド情報ｇ３を表示しない理由は、座り姿勢では、例えば、椅子や地面での座り姿勢などポーズの自由度が高く、腰の位置を決めることが困難となる場合があるためであり、その代わりに第２の領域ａ２を、立ち姿勢の場合よりも広くすることにより多くの座り姿勢（例えば、脚を斜めに出した座り姿勢など）に対応できるようにしている。更に、立ち姿勢の場合と異なり、第１の撮影ガイド情報ｇ１、第２の撮影ガイド情報ｇ２、第４の撮影ガイド情報ｇ４への合わせを行えば、カメラの高さや角度を気にすることなく脚長でバランスの良い被写体像が得られるからである。尚、座り姿勢の場合でも場面や状況によっては第３の撮影ガイド情報ｇ３を表示するようにしても良い。
【００３４】
次に、本実施形態におけるデジタルカメラの動作概念を図９に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体の他に、伝送媒体を介して外部供給されたプログラム／データを利用して本実施形態特有の動作を実行することもできる。なお、図９は、カメラの全体動作のうち、本実施形態の特徴部分の動作概要を示したフローチャートであり、この図９のフローから抜けた際には、全体動作のメインフロー（図示省略）に戻る。
【００３５】
図９は、撮影モードに切り替えられた際に実行開始される動作を示したフローチャートである。
本体装置２０において制御部２１は、各種の撮影モードの中から被写体である人物の脚部分を長くする脚長モードに切り替え指定されているかを調べ（ステップＳ１）、脚長モードが指定されていなければ（ステップＳ１でＮＯ）、指定され他のモードの実行に移るが、脚長モードが指定されていれば（ステップＳ１でＹＥＳ）、姿勢検出部２７の検出結果を取得し、その検出結果に基づいて縦構図であるか横構図であるか、つまり、画面の向きは縦長画面であるか横長画面であるかを判別する（ステップＳ２）。
【００３６】
次に、制御部２１は、広角レンズ１６Ｂを介して撮像素子１６Ｃに撮像された画像を撮像装置１０から受信取得し（ステップＳ３）、この画像に対して広角レンズ１６Ｂによる歪（樽型歪曲）を補正する歪曲収差補正処理を施す（ステップＳ４）。そして、歪補正した後の画像をタッチ表示部２６にライブビュー画像としてモニタ画面に表示させる（ステップＳ５）。なお、このような歪補正処理を施したとしても全ての歪みを補正しきれないため、特にレンズ端に相当する第１の領域ａ１には歪が残ってしまう。本実施形態では、この第１の領域ａ１内に残存している歪を活用して脚長効果を得るようにしているが、撮像された画像に対して歪補正処理を施さず、撮像された画像をそのまま表示するようにしてもよく、その画像の第１の領域ａ１に存在している歪を活用して脚長効果を得るようにしてもよい。
【００３７】
このようにライブビュー画像をモニタ画面に表示させると、その画面に各種の撮影ガイド情報をライブビュー画像に重畳表示させる処理に移る（ステップＳ６〜Ｓ８）。先ず、脚長モードへの切り替え指定時において、予めユーザ操作によって選択された被写体の姿勢は、立ち姿勢であるか座り姿勢であるかを調べ（ステップＳ６）、立ち姿勢が選択されていれば、立ち姿勢に対応する撮影ガイド情報を、画面の向きに応じてライブビュー画像に重畳表示させる（ステップＳ７）。例えば、画面の向きが縦長画面（縦構図）で立ち姿勢の被写体を撮像する場合には、図４に示したように４種類の撮影ガイド情報ｇ１〜ｇ４がライブビュー画像に重畳表示される。また、座り姿勢が選択されていれば、座り姿勢に対応する撮影ガイド情報を、画面の向きに応じてライブビュー画像に重畳表示させる（ステップＳ８）。例えば、画面の向きが横長画面（横構図）で座り姿勢の被写体を撮像する場合には、図８に示したように３種類の撮影ガイド情報ｇ１、ｇ２、ｇ４がライブビュー画像に重畳表示される。
【００３８】
その後、撮影を指示するレリーズボタンが操作されたかを調べ（ステップＳ９）、レリーズボタンが操作されなければ（ステップＳ９でＮＯ）、上述のステップＳ１に戻って以下、ステップＳ１〜Ｓ９を繰り返す。ここで、撮影者は、ライブビュー画面内に各種の撮影ガイド情報ｇ１〜ｇ４が表示されている状態において、そのライブビュー画面を目視確認し、カメラの高さや角度を変えたり、被写体に近づいたり、ズームアップしたりするなどして、被写体の複数の部位を、その画面内の対応する撮影ガイド情報ｇ１〜ｇ３の表示位置に合わせたり、被写体の主要部（胴体、頭部）が第４の撮影ガイド情報ｇ４の外側にはみ出ないようにする。
【００３９】
ここで、撮影者は、被写体の複数の部位を、対応する撮影ガイド情報に合わせたことを確認すると、レリーズボタンを操作する。いま、レリーズボタンが操作されて撮影が指示されると（ステップＳ９でＹＥＳ）、本体装置２０は、そのときに撮像装置１０から受信取得した画像に対して現像及び画像圧縮を施して標準的なファイル形式に変換する撮影処理（ステップＳ１０）を実行した後、この撮影画像を記憶部２３の記録メディアに記録保存させる（ステップＳ１１）。その後、最初のステップＳ１に戻り、以下、上述の動作を繰り返す。
【００４０】
以上のように、本実施形態のデジタルカメラにおいてその本体装置２０は、広角レンズ１６Ｂを介して撮像素子１６Ｃに撮像された広角画像を撮像装置１０から取得すると共に、この広角画像において広角レンズ１６Ｂの歪特性による影響が、広角画像のその他の領域における広角レンズ１６Ｂの歪み特性による所定の影響よりも強く表れる第１の領域ａ１内に被写体の第１の部位が配置されるような構図を推奨するための第１の撮影ガイド情報ｇ１を報知するようにしたので、広角レンズ由来の歪を活用して撮影する場合に、被写体の一部分がユーザの所望する形態になることを容易に実現することができる。
【００４１】
第１の領域ａ１は、その広角画像の端部に位置する領域であり、かつ、この領域ａ１内に配置される被写体の第１の部位が広角レンズ端の歪に応じて伸張されるという効果を活用するために広角レンズ１６Ｂの歪特性に応じて決められている歪活用領域であり、本体装置２０は、この歪活用領域内に被写体の第１の部位を配置すべきことを推奨する第１の撮影ガイド情報ｇ１を報知するようにしたので、被写体の第１の部位を伸張した被写体像（脚長の被写体像）を容易に得ることができる。
【００４２】
本体装置２０は、第１の領域ａ１内に被写体の第１の部位を配置すべきことを推奨する第１の撮影ガイド情報ｇ１を報知し、かつ、広角画像の第２の領域ａ２内に被写体の第２の部位を配置すべきことを推奨する第２の撮影ガイド情報ｇ２を報知するようにしたので、ユーザの所望する形態で、かつ、全体のバランスが良い被写体像を得ることができる。
【００４３】
第１の領域ａ１は、この広角画像の端部に位置する領域であるのに対して第２の領域ａ２は、この広角画像の中央部に位置する領域であるので、広角レンズ端の歪に応じて被写体の第１の部位だけをユーザの所望する形態にすることができると共に、例えば、第１の部位が伸張した分、第２の部位が相対的に小さくなったような印象を与えることもできる。
【００４４】
第１の領域ａ１及び第２の領域ａ２は、それらの位置の違いによって大きさが異なる領域であるので、被写体の部位の違いに対応することができると共に、例えば、図５（２）に示したような幅広いボーズにも対応することが可能となる。
【００４５】
被写体の第１の部位は、人物の脚部分、第２の部位は、顔部分であり、第１の領域ａ１及び第２の領域ａ２は、人物が立ち姿勢であるか座り姿勢であるかに応じてその位置及び大きさが異なる領域であるので、人物の姿勢に拘らず、小顔効果及び脚長効果を持った被写体像を得ることができる。
【００４６】
本体装置２０は、撮像された広角画像をライブビュー画像としてモニタ画面に表示すると共に、このライブビュー画像に第１の撮影ガイド情報ｇ１を重畳表示するようにしたので、撮影者は、モニタ画面を目視しながら、被写体の第１の部位を第１の撮影ガイド情報ｇ１の表示位置に合わせるだけで、ユーザの所望する被写体像を容易に得ることができる。
【００４７】
本体装置２０は、ライブビュー画像に第２の撮影ガイド情報ｇ２を重畳表示する場合にライブビュー画像と識別できるように第１の領域ａ１を着色表示するようにしたので、撮影者にあってはライブビュー画像と混同することなく、第１の領域ａ１の確認を的確に行うことが可能となる。
【００４８】
本体装置２０は、第１の領域ａ１内に被写体の第１の部位を配置すべきことを推奨する第１の撮影ガイド情報ｇ１と、第２の領域ａ２内に被写体の第２の部位を配置すべきことを推奨する第２の撮影ガイド情報ｇ２をライブビュー画像に識別可能に重畳表示するようにしたので、撮影者にあっては第１の撮影ガイド情報ｇ１と第２の領域ａ２を同時に見ながら被写体の第１の部位、第２の部位を、対応する第１の撮影ガイド情報ｇ１、第２の撮影ガイド情報ｇ２の表示位置に合わせることが可能となる。
【００４９】
本体装置２０は、被写体の基準位置を合わせるモニタ画面内の位置を案内する情報として第３の撮影ガイド情報ｇ３をライブビュー画像に重畳表示するようにしたので、撮影者にあっては被写体の基準位置（例えば、腰位置）を第３の撮影ガイド情報ｇ３の表示位置に合わせるだけで、全体バランスの良い被写体像を得ることができる。
【００５０】
本体装置２０は、被写体の主要部分が配置される位置を規制する情報として第４の撮影ガイド情報ｇ４をライブビュー画像に重畳表示するようにしたので、被写体の主要部分に広角レンズ１６Ｂによる歪の影響が表れることを防ぐことができる。
【００５１】
＜変形例１＞
なお、上述した実施形態においては、第１の領域ａ１を長方形の帯状の領域とした場合を例示したが、長方形の帯状領域に限らず、円弧状の領域としてもよい。図１０（１）は、ライブビュー画面（例えば、縦長画面）において立ち姿勢の被写体を脚長に撮る場合の撮影ガイド情報の表示例を示している。この場合、その画面の下端部の全体に広がる第１の領域ａ１を円弧状の領域とした場合を示している。すなわち、広角レンズ１６Ｂの特性を考慮すると、光軸を中心として真下方向に比べて斜め下方向の方が歪む範囲が広いために、この歪の範囲に応じて第１の領域ａ１の形状を円弧状（凹面状）とした場合を示している。
【００５２】
このように第１の領域ａ１を円弧状（凹面状）とすることにより図５（２）に示したような姿勢（片脚を外側に大きく出した姿勢）に対して、更に脚長効果の高い被写体像を得ることが可能となる。また、上述した実施形態においては、第３の撮影ガイド情報ｇ３として１本のライン情報（横線の着色情報）を例示したが、第３の撮影ガイド情報ｇ３を帯状の領域としてもよい。図１０（１）は、第３の撮影ガイド情報ｇ３を帯状の領域とした場合を示している。このように第３の撮影ガイド情報ｇ３を帯状の領域とすることにより被写体の基準位置（腰位置）を合わせる場合にその許容範囲が明確となって合わせ易くなる。
【００５３】
＜変形例２＞
上述した実施形態においては、画面の一端部を第１の領域ａ１とした場合を示したが、画面の複数の端部を第１の領域ａ１としてもよい。図１０（２）は、ライブビュー画面（例えば、縦長画面）において立ち姿勢の被写体を脚長に撮る場合の撮影ガイド情報の表示例を示したもので、その画面の両端部（図中、下端部及び上端部）をそれぞれ第１の領域ａ１とした場合で、図１０（１）の場合と同様に第１の領域ａ１を円弧状（凹面状）とした場合を示している。このように画面の下端部の他に、その上端部を第１の領域ａ１とすることにより立ち姿勢の被写体が腕を上に伸ばした姿勢になると、その上端部の第１の領域ａ１内に配置された腕が広角レンズ１６Ｂの歪特性によって伸張することによって腕長効果が得られるようになる。この場合、撮影者が被写体の各部位（脚部、頭部、腕部）を、対応する撮影ガイド情報ｇ１、ｇ２に合わせると、脚長効果、小顔効果、腕長効果を持った被写体像となる。
【００５４】
＜変形例３＞
上述した実施形態においては、図８に示したように座り姿勢の被写体を横構図で撮影する場合を例示したが、座り姿勢の被写体を縦構図で撮影する場合であってもよい。図１１（１）は、ライブビュー画面（縦画面）内に３種類の撮影ガイド情報ｇ１、ｇ２、ｇ４を表示させた場合を示している。この場合、図１０（１）の場合と同様に、画面の端部（図中、下端部）の全体に広がる第１の領域ａ１を円弧状（凹面状）の領域とした場合である。このように座り姿勢の被写体を縦構図で撮影する場合にも対応可能であると共に、図１０（１）の場合と同様に、更に脚長効果の高いものとなる。また、図８の場合と同様に、第１の領域ａ１を長方形の帯状領域にしても良いことは勿論である。なお、座り姿勢の場合、上述した撮影ガイド情報ｇ３を表示しない理由は、図８の場合と同様、座り姿勢では、ポーズの自由度が高く、腰の位置を決めることが困難となる場合があるためであり、その代わりに第２の撮影ガイド情報ｇ２が表示される第２の領域ａ２を立ち姿勢の場合よりも広くすることにより多くの座り姿勢に対応可能としている。
【００５５】
＜変形例４＞
更に、図１１（２）は、図１１（１）の場合と同様に座り姿勢の被写体を縦構図で撮影する場合を示すと共に、図１０（２）の場合と同様に画面の両端部（図中、下端部及び上端部）をそれぞれ第１の領域ａ１とした場合を示している。この場合においても図１０（１）の場合と同様に第１の領域ａ１を円弧状（凹面状）としている。これによって座り姿勢の場合でも腕長効果を得ることが可能となる。
【００５６】
＜変形例５＞
上述した実施形態においては、被写体の各部位を合わせる撮影ガイド情報をライブビュー画像に重畳表示するようにしたが、更に、撮影ガイド情報に合わせる被写体の部位をアイコンで表示するようにしてもよい。図１２は、撮影ガイド情報に合わせる被写体の部位を示す立ち姿勢の人型アイコンｈｉを画面の片隅（図中、右上隅部）に追加表示させた場合で、図中、塗り潰し部分は撮影ガイド情報に合わせる被写体の部位を明示している。このように撮影ガイド情報に合わせる被写体の部位を示す人型アイコンｈｉを追加表示するようにすれば、撮影者は被写体のどこの部位を撮影ガイド情報に合わせればよいかを容易に確認することができ、各部位を、対応する撮影ガイド情報に合わせる作業が更に容易なものとなる。
【００５７】
＜変形例６＞
上述した実施形態においては、被写体が立ち姿勢であるか座り姿勢であるかを予めユーザ操作によって任意に選択可能とし、立ち姿勢であるか座り姿勢であるかによって、夫々に適した撮影ガイド情報を表示するようにしている。しかし、それに限らず、被写体に動きセンサ（図示省略）を装着して、この動きセンサが検知した動き情報に基づいて当該被写体が立ち姿勢なのか、座り姿勢なのかを検知するようにしてもよい。詳述すると、上述の動きセンサは加速度を検出する３軸加速度センサで、本体装置２０と無線通信を用いてペアリングが可能な構成とする。この無線通信としては、無線ＬＡＮ（Ｗｉ−Ｆｉ）又はＢｌｕｅｔｏｏｔｈ（登録商標）を使用している。そして、動きセンサは被写体（例えば、脚の任意の部分や腰の任意の部分）に装着される。尚、動きセンサを利用した人の立位又は座位等の姿勢動作判別方法については、既往の技術を利用すればよく、ここでは詳細に説明をしない。
【００５８】
図１３は、上記動きセンサによる立位又は座位の姿勢動作判別を用いて撮影ガイド情報を表示する構成を説明するフローチャートである。尚、この図１３のフローチャートは図９のＳ６〜Ｓ８のステップに対応するものとなる。即ち、この＜変形例６＞では、図９のＳ５のステップが終了すると、図１３のステップＳ２１に移行し、本体装置２０の制御部２１は、当該動きセンサの装着者（被写体）の動き検知データを、動きセンサから受信して、その検知データを解析することで、当該装着者が静止しているか、静止していないかを判断する。装着者が静止していないと判断した場合、（即ち、ステップＳ２１でＮＯの場合）、ステップＳ２２に移行して、前回表示されていたガイド表示を表示し続ける、或いは未だガイド表示が表示されていない状態であれば、ガイド表示を表示させないようにする。
【００５９】
装着者が静止していて、撮影スタンバイ状態と判断した場合、（即ち、ステップＳ２１でＹＥＳの場合）、ステップＳ２３に移行して、本体装置２０は受信した動きセンサの検知データを解析することで、装着者が立っている状態なのか判断する。ステップＳ２３にて装着者が立っていない状態と判断した場合、（即ち、ステップＳ２３でＮＯの場合）、ステップＳ２４に移行して、座り姿勢のガイド情報を画面の向きに応じて表示する。また、ステップＳ２３にて装着者が立っている状態と判断した場合（即ちステップＳ２３でＹＥＳの場合）、ステップＳ２５に移行して、立ち姿勢のガイド情報を画面の向きに応じて表示する。そして、この姿勢判断＆表示処理（図１３のフロー）を抜けて、図９のステップＳ９へ移行する。
【００６０】
尚、本変形例６においては、動きセンサは本体装置２０と別体としたが、それに限らず本体装置２０と動きセンサは一体として、本体装置２０で被写体が立ち姿勢なのか、座り姿勢なのかを判断するようにしてもよい。
【００６１】
上述した実施形態においては、上述した実施形態においては、被写体の各部位を合わせる撮影ガイド情報をライブビュー画像に重畳表示するようにしたが、この撮影ガイド情報の表示と共に、アラーム音（例えば、単音、継続音）を出力するようにしてもよい。例えば、ライブビュー画像内の被写体像を解析して各部位（脚部、頭部）の位置を特定すると共に、この特定した各部位（脚部、頭部）が、対応する第１の領域ａ１、第２の領域ａ２内に入っているか否かを判別し、領域から外れていれば、アラーム音を出力するようにしてもよい。
【００６２】
上述した実施形態においては、被写体の各部位を合わせる撮影ガイド情報をライブビュー画像に重畳表示するようにしたが、撮影ガイド情報を報知する手段としては、表示に限らず、撮影ガイド情報を音声出力するようにしてもよい。例えば、ライブビュー画像内の被写体像を解析して各部位（脚部、頭部）の位置を特定すると共に、この特定した各部位（脚部、頭部）が、対応する第１の領域ａ１、第２の領域ａ２内に入っているか否かを判別し、領域から外れていれば、その旨を案内する音声ガイド情報（音声メッセージ）を出力するようにしてもよい。逆に、特定した各部位が、対応する領域内に入っていれば、その旨を案内する音声ガイド情報（音声メッセージ）を出力するようにしてもよい。
【００６３】
上述した実施形態においては、第１の領域ａ１を帯状の長方形の領域とし、この第１の領域ａ１の全体を第１の撮影ガイド情報ｇ１で着色するようにしたが、第１の撮影ガイド情報ｇ１は、第１の領域ａ１の境界線（画面の中央部寄り）に１本のライン（横線）を表示するものであってもよい。また、第２の領域ａ２を帯状の長方形の領域としたが、例えば、円弧状の領域であってもよい。更に、上述した実施形態においては、第１の撮影ガイド情報ｇ１、第２の撮影ガイド情報ｇ２を着色情報としたが、線種や模様の異なる情報としてもよい。
【００６４】
上述した実施形態においては、静止画像を撮影する場合を例示したが、動画撮影を行う場合であっても同様に適用可能である。この場合、フレーム画像毎に撮影ガイド情報を表示するようにすればよい。
【００６５】
上述した実施形態においては、被写体として人物を撮影する場合を示したが、勿論、人物に限らず、ペット、植物、建物などであってもよい。
【００６６】
また、上述した実施形態においては、撮影処理装置としてセパレート型のデジタルカメラに適用した場合を示したが、これに限らず、撮像装置１０と本体装置２０が一体型のデジタルカメラであってもよく、更に、撮像機能を備えたパーソナルコンピュータ・ＰＤＡ（個人向け携帯型情報通信機器）・タブレット端末装置・スマートフォンなどの携帯電話機・電子ゲーム・音楽プレイヤーなどであってもよい。
【００６７】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００６８】
また、上述した実施形態における撮影ガイド情報ｇ２、ｇ３、ｇ４の指標については、全てを表示する必要はなく、状況に応じて報知することを省略したり、幾つかを選択して報知するようにしたりしてもよい。
【００６９】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
広角レンズを介して撮像素子により撮像された広角画像を取得する画像取得手段と、
前記画像取得手段によって取得される広角画像の一部の領域であって前記広角レンズの歪特性による影響が、前記広角画像のその他の領域における前記広角レンズの歪み特性による所定の影響よりも強く表れる第１の領域内に被写体の第１の部分を配置すべきことを推奨する第１の撮影ガイド情報を報知するガイド報知手段と、
を備えることを特徴とする撮影処理装置である。
（請求項２）
請求項２に記載の発明は、請求項１に記載の撮影処理装置において、
前記広角画像の第１の領域は、その広角画像の端部に位置する領域であり、かつ、この領域内に配置される前記被写体の第１の部分が前記広角レンズの端部の歪に応じて伸張されるという効果を活用するために予め決められた歪活用領域であり、
前記ガイド報知手段は、前記被写体の第１の部分を前記歪活用領域内に配置すべきことを推奨する第１の撮影ガイド情報を報知する、
ことを特徴とする。
（請求項３）
請求項３に記載の発明は、請求項１又は２に記載の撮影処理装置において、
前記第１の部分は、被写体である人物の脚部分であり、
前記第１の領域は、前記被写体である人物が立ち姿勢であるか座り姿勢であるかに応じてその位置及び大きさが異なる領域である、
ことを特徴とする。
（請求項４）
請求項４に記載の発明は、請求項３に記載の撮影処理装置において、
前記ガイド報知手段は、被写体が有する動きセンサが検知した検知データを取得し、前記検知データに基づいて前記被写体である人物が立ち姿勢であるか座り姿勢であるかを判断し、その判断結果に応じて前記第１の領域の位置及び大きさを決定する、
ことを特徴とする。
（請求項５）
請求項５に記載の発明は、請求項１乃至４の何れか１項に記載の撮影処理装置において、
前記ガイド報知手段は、前記広角レンズの歪特性による影響が前記所定の影響よりも強く表れる前記第１の領域内に前記被写体の第１の部分を配置すべきことを推奨する前記第１の撮影ガイド情報を報知し、かつ、前記広角レンズの歪特性による影響が前記所定の影響よりも弱い第２の領域内に被写体の第２の部分を配置すべきことを推奨する第２の撮影ガイド情報を報知する、
ことを特徴とする。
（請求項６）
請求項６に記載の発明は、請求項５に記載の撮影処理装置において、
前記第１の領域は、この広角画像の端部に位置する領域であるのに対して前記第２の領域は、この広角画像の中央部に位置する領域である、
ことを特徴とする。
（請求項７）
請求項５に記載の発明は、請求項６に記載の撮影処理装置において、
前記第１及び第２の領域は、それらの位置の違いによって大きさが異なる領域である、
ことを特徴とする。
（請求項８）
請求項６に記載の発明は、請求項５乃至７の何れか１項に記載の撮影処理装置において、
前記第２の部位は、被写体である人物の顔部分であり、
前記第２の領域は、前記被写体である人物が立ち姿勢であるか座り姿勢であるかに応じてその位置及び大きさが異なる領域である、
ことを特徴とする。
（請求項９）
請求項９に記載の発明は、請求項８に記載の撮影処理装置において、
前記ガイド報知手段は、被写体が有する動きセンサが検知した検知データを取得し、前記検知データに基づいて前記被写体である人物が立ち姿勢であるか座り姿勢であるかを判断し、その判断結果に応じて前記第２の領域の位置及び大きさを決定する、
ことを特徴とする。
（請求項１０）
請求項１０に記載の発明は、請求項１乃至９の何れか１項に記載の撮影処理装置において、
前記広角画像をライブビュー画像としてモニタ画面に表示する表示手段を更に備え、
前記ガイド報知手段は、前記表示手段に表示されるライブビュー画像に前記第１の撮影ガイド情報を重畳表示する、
ことを特徴とする。
（請求項１１）
請求項１１に記載の発明は、請求項１０に記載の撮影処理装置において、
前記ガイド報知手段は、ライブビュー画像に第１の撮影ガイド情報を重畳表示する場合にライブビュー画像と識別可能となるように前記第１の領域を表示する、
ことを特徴とする。
（請求項１２）
請求項１２に記載の発明は、請求項７に記載の撮影処理装置において、
前記ガイド報知手段は、前記広角レンズの歪特性による影響が前記所定の影響よりも強く表れる前記第１の領域内に前記被写体の第１の部分を配置すべきことを推奨する、前記第１の撮影ガイド情報と、前記広角レンズの歪特性による影響が前記所定の影響よりも弱い第２の領域内に被写体の第２の部分を配置すべきことを推奨する第２の撮影ガイド情報とを、前記ライブビュー画像に識別可能に重畳表示する、
ことを特徴とする。
（請求項１３）
請求項１３に記載の発明は、請求項１０乃至１２の何れか１項に記載の撮影処理装置において、
前記ガイド報知手段は、被写体の基準位置を合わせる前記モニタ画面内の位置を案内する情報として第３の撮影ガイド情報を前記ライブビュー画像に重畳表示する、
ことを特徴とする。
（請求項１４）
請求項１４に記載の発明は、請求項１０乃至１３の何れか１項に記載の撮影処理装置において、
前記ガイド報知手段は、被写体の主要部分が配置される位置を規制する情報として第４の撮影ガイド情報を前記ライブビュー画像に重畳表示する、
ことを特徴とする。
（請求項１５）
請求項１５に記載の発明は、請求項１乃至１４の何れか１項に記載の撮影処理装置において、
前記広角レンズ及び前記撮像素子を備える、
ことを特徴とする。
（請求項１６）
請求項１６に記載の発明は、
撮影処理装置における撮影処理方法であって、
前記広角レンズを介して前記撮像素子に撮像された広角画像を取得する処理と、
前記取得される広角画像の一部の領域であって前記広角レンズの歪特性による影響が、前記広角画像のその他の領域における前記広角レンズの歪み特性による所定の影響よりも強く表れる第１の領域内に被写体の第１の部分を配置すべきことを推奨する第１の撮影ガイド情報を報知する処理と、
を含むことを特徴とする。
（請求項１７）
請求項１７に記載の発明は、
撮影処理装置のコンピュータに対して、
前記広角レンズを介して前記撮像素子に撮像された広角画像を取得する機能と、
前記取得される広角画像の一部の領域であって前記広角レンズの歪特性による影響が、前記広角画像のその他の領域における前記広角レンズの歪み特性による所定の影響よりも強く表れる第１の領域内に被写体の第１の部分を配置すべきことを推奨する第１の撮影ガイド情報を報知する機能と、
を実現させるためのプログラムである。
【符号の説明】
【００７０】
１０  撮像装置
１１  制御部
１３  記憶部
１６  撮像部
１６Ｂ  広角レンズ
１６Ｃ  撮像素子
２０  本体装置
２１  制御部
２３  記憶部
２６  タッチ表示部
２７  姿勢検出部
ａ１  第１の領域
ａ２  第２の領域
ｇ１  第１の撮影ガイド情報
ｇ２  第２の撮影ガイド情報
ｇ３  第３の撮影ガイド情報
ｇ４  第４の撮影ガイド情報
【図１】
2018137717.tif 000003
【図２】
2018137717.tif 000004
【図３】
2018137717.tif 000005
【図４】
2018137717.tif 000006
【図５】
2018137717.tif 000007
【図６】
2018137717.tif 000008
【図７】
2018137717.tif 000009
【図８】
2018137717.tif 000010
【図９】
2018137717.tif 000011
【図１０】
2018137717.tif 000012
【図１１】
2018137717.tif 000013
【図１２】
2018137717.tif 000014
【図１３】
2018137717.tif 000015